(57)【特許請求の範囲】
【請求項１】
少なくとも部分的にバルク粒状物質を閉じ込め、
バルク粒状物質を極端に流動化することなく、またバルク粒状物質の中にいかなる定常的な空所を生じることなく、より小さい平均粒径を得て、ＢＥＴ表面積を増加させるために、閉じ込めたバルク粒状物質を少なくとも２つの長尺の回転部材により機械的に強力に攪拌するものであり、
回転部材はバルク粒状物質に埋没しており、各回転部材は回転軸を有すると共に軸方向に間隔を空けて配置される複数の攪拌構成体を備えており、この攪拌構成体は回転軸から外側に突出しており、回転部材は他の回転部材と互いに横断方向に間隔をあけ、かつ一方が他方の上方に配置され、それによってバルク粒状物質を高密度化するバルク粒状物質の高密度化方法。
【請求項２】
高密度化されるバルク粒状物質を回転部材の回転軸に対して横断する方向に回転部材を越えて供給し、容器から流動性を有する高密度化されたバルク粒状物質を排出することを特徴とする請求項１記載の方法。
【請求項３】
少なくとも２つの回転部材の一方が他方の上方に配置され、かつ、２つの回転部材は同方向に回転されることを特徴とする請求項１に記載の方法。
【請求項４】
少なくとも２つの長尺の回転部材が側方に並置されることを特徴とする請求項１に記載の方法。
【請求項５】
少なくとも２つの長尺の回転部材が側方に並置され、かつ、２つの回転部材が逆方向に回転されることを特徴とする請求項４に記載の方法。
【請求項６】
閉じ込めたバルク粒状物質中に垂直方向のバルク密度勾配が形成され、底部が最も高いバルク密度を有することを特徴とする請求項１項に記載の方法。
【請求項７】
前記複数の回転部材は、様々な位置で異なる速度で回転する請求項１に記載の方法。
【請求項８】
各回転部材の回転軸は略平行に配置され、かつ、各回転部材の回転軸が略水平に位置する、請求項１に記載の方法。
【請求項９】
バルク粒状供給物質が連続式に高密度化され、バルク粒状供給物質が回転部材の上方から供給され、高密度化されたバルク粒状物質が回転部材の下方より除去される、請求項１に記載の方法。
【請求項１０】
バルク粒状物質の機械的な攪拌は高密度化剤を用いて行うことを特徴とする請求項１に記載の方法。
【請求項１１】
高密度化剤が水性液体であることを特徴とする請求項１０記載の方法。
【請求項１２】
高密度化されたバルク粒状物質中の高密度化剤の平均濃度が、高密度化しようとするバルク粒状物質中の高密度化剤の平均濃度よりも低いことを特徴とする請求項１０に記載の方法。
【請求項１３】
機械的攪拌中にバルク粒状物質が加熱され、少なくとも高密度化剤の一部が、蒸発により、高密度化としようとするバルク粒状物質あるいは高密度化されたバルク粒状物質から除去されることを特徴とする請求項１０に記載の方法。
【発明の詳細な説明】
【技術分野および背景技術】
【０００１】
本発明は、バルク（嵩張）粒状物質の高密度化に関し、特に、バルク粒状物質の高密度化方法および装置に関する。
【発明の開示】
【０００２】
本発明の一側面によれば、少なくとも部分的にバルク粒状物質を閉じ込め、バルク粒状物質を極端に流動化することなく、またバルク粒状物質の中にいかなる定常的な空所を生じることなく、より小さい平均粒径を得て、ＢＥＴ表面積を増加させるために、閉じ込めたバルク粒状物質を少なくとも２つの長尺の回転部材により機械的に強力に攪拌するものであり、回転部材はバルク粒状物質に埋没しており、各回転部材は回転軸を有すると共に軸方向に間隔を空けて配置される複数の攪拌構成体を備えており、この攪拌構成体は回転軸から外側に突出しており、回転部材は他の回転部材と互いに横断方向に間隔をあけ、かつ一方が他方の上方に配置され、それによってバルク粒状物質を高密度化するものである。
【０００３】
埋没した複数の回転部材および攪拌構成体の動作は、このようにバルク粒状物質を圧縮するものではなく、閉じ込めたバルク粒状物質を機械的に強力に攪拌し、バルク粒状物質を極端に流動化することなく、またバルク粒状物質の中にいかなる定常的な空所を生じることなく、攪拌中にバルク粒状物質を完全に混合する。
【０００４】
一般的には、各回転部材は、閉じ込めたバルク粒状物質の中に埋没している。すなわち、一般的にはすべての回転部材上にバルク粒状物質のヘッド(頂部)がある。
【０００５】
この方法は、高密度化しようとするバルク粒状物質を回転部材の回転軸を横断する方向に回転部材を越えて供給することを含む。
【０００６】
少なくとも２つの回転部材の一方が他方の上方に配置され、これらの回転部材は、同じ方向に回転させてもよい。
【０００７】
好ましくは、少なくとも２つの長尺の回転部材は並設される。少なくとも２つの長尺の回転部材が並設された場合、２つの回転部材は逆方向に回転させてもよい。
閉じ込めたバルク粒状物質中には、垂直方向のバルク密度勾配を形成することができ、この際、底部が最も高いバルク密度を有する。
【０００８】
バルク粒状物質は、閉じ込めたバルク粒状物質の上方に自由ヘッド空間を残した状態で、少なくとも部分的に閉じ込めることができ、したがって、攪拌されたバルク粒状物質は攪拌中に少なくとも自由ヘッド空間の一部を占めることができる。
回転部材の回転軸は、一般的には略平行に配置される。回転軸は、好ましくは横向きに伸延し、例えば略水平方向に伸延する。
【０００９】
バルク粒状物質は、少なくとも部分的には容器内に閉じ込めることができる。
バルク粒状物質に埋没した回転部材は、回転部材の半径方向最周縁部の点が、約３ ｍ／ｓ〜約１００ｍ／ｓ の速度で移動し、一般的には、約２０ ｍ／ｓ〜約２３ ｍ／ｓ の速度で移動する。
【００１０】
バルク粒状物質を閉じ込める動作は、バルク粒状物質を容器に供給する動作を含む。したがって、バルク粒状物質全体を容器内において高密度化して、容器内で均一なバルク密度を有する粒状物質の均一体を形成することができる。
【００１１】
本発明では、容器の内面に対して粒状物質の塊状化、または堆積、あるいは凝固を防止するために容器を振動させることができる。
【００１２】
本発明では、容器から流動性を有する高密度化されたバルク粒状物質を排出することができる。本発明は、連続的に、またはバッチ的に行なうことができることも理解されるべきである。すなわち、容器から高密度化されたバルク粒状物質を排出すること、およびバルク粒状物質を容器内に供給することを、バッチ的にまたは制御的に行なうことができる。よって、バルク粒状物質を容器内に連続式に供給することができ、かつ、高密度化されたバルク粒状物質を容器から連続式に排出することができ、容器内のバルク粒状物質全体は、供給されるバルク粒状物質よりも実質的により高い平均バルク密度を定常条件で有することができる。
【００１３】
本発明の一実施例において、バルク粒状供給物質を回転部材の上方から供給し、回転部材の下方より高密度化されたバルク粒状物質を除去することにより、連続的に高密度化される。
【００１４】
本発明に関わる方法は、高密度化されたバルク粒状物質を容器から排出する前に、高密度化されたバルク粒状物質のバルク密度を測定し、または判定することを含む。このような測定または判定の代わりに、高密度化されたバルク粒状物質が容器から排出された後に、またはバルク粒状物質の攪拌中に、たとえば回転部材を回転させるために用いられる１台あるいは複数の電動モータに流れる電流を測定することにより、高密度化されたバルク粒状物質のバルク密度を測定し判定することも含む。
【００１５】
回転部材は１００ｒｐｍ〜３５００ｒｐｍの角速度（angular speed）で回転できる。好ましくは、回転部材は５００ｒｐｍ〜１０００ｒｐｍの角速度で回転する。一般的には、回転部材は、７００ｒｐｍ〜８００ｒｐｍの角速度、例えば、約７３２ｒｐｍで回転する。
【００１６】
高密度化される前は、バルク粒状物質は１ｍｍ未満の平均粒径を有する。一般的に、バルク粒状物質の平均粒径は、０．５ｍｍ未満であり、１μｍ未満であってもよく、たとえば約０．１５μｍとすることができる。
【００１７】
本発明に係る方法は、容器から粉塵を抜き出すことを含む。
【００１８】
高密度化前の粒状物質のバルク密度と流動性を有する高密度化された粒状物質のバルク密度の比率は、少なくとも２：３とすることができる。好ましくは、高密度化前の粒状物質のバルク密度と流動性を有する高密度化された粒状物質のバルク密度の比率は、高密度化前の粒状物質と高密度化された粒状物質のバルク密度によっては、少なくとも１：５である。高密度化前の粒状物質のバルク密度と流動性を有する高密度化された粒状物質のバルク密度の比率は、高密度化前の粒状物質と高密度化された粒状物質のバルク密度によっては、１：１０あるいはさらに大きく、例えば、１：１２とすることもできる。
【００１９】
バルク粒状物質の機械的な攪拌は、高密度化剤を用いて行なうことができる。この場合、高密度化剤は、高密度化されたバルク粒状物質が流動状態および実質的に乾燥状態を保持できる、したがって、バルク粒状物質がパン生地状、ペースト状、スラリー状等になるのを防止するために必要十分な少量を用いる。
【００２０】
高密度化剤として、極性を有する液体を用いることもできる。本発明の好適な実施例においては、高密度化剤として、水性液体、例えば水あるいは脱塩水を用いる。
【００２１】
高密度化剤として水性液体を用いる場合、バルク粒状物質は、高密度化前あるいは高密度化中に、下限が約０．５％の範囲の質量濃度を有する水を含むことができる。
【００２２】
しかし、水の質量濃度の下限は、約０．４５％まで低くすることができ、あるいはさらに低く約０．４％まで低くすることもできる。水の質量濃度の上限は、約１０％とすることができ、またさらに約１５％とすることもでき、さらに高く約２０％にすることもできる。
【００２３】
しかし、水性高密度化剤が、高密度化されるバルク粒状物質の使用可能な有効領域に影響を与えるということは理解されるべきである。しかし、前述の領域は、シリカヒュームのような微小シリカの高密度化に好適である。
【００２４】
バルク粒状物質としては、吸湿性物質を用いることもできる。バルク粒状物質には、微小シリカ、たとえば、ヒュームドシリカ、沈殿シリカ、コロイド状シリカ、あるいはシリカゲルを用いることもできる。
【００２５】
これらの物質に代わり、バルク粒状物質は、カーボンブラック、石炭、フライアッシュ、カオリン、メタカオリンで構成されるグループから選択することができる。また、バルク粒状物質は、Ｍｎ２Ｏ３、Ｍｎ３Ｏ４、Ｖ２Ｏ５、アルミニウム、ボーキサイト、セメント、およびスラグで構成されるグループから選択することができる。
【００２６】
バルク粒状物質として粒状シリカを用いる場合、粒状シリカは、０．５μｍ未満の粒径を有し、一般的には、０．２μｍ未満の粒径を有する。実際、本発明は、いわゆるシリカヒュームを高密度化することに際し、特殊な、しかし限定的でない用途を見出すことができると考えられる。
【００２７】
本発明に係る方法では、バルク粒状物質の機械的攪拌前または攪拌中に、高密度化剤をバルク粒状物質に添加するようにしてもよい。
【００２８】
本発明に係る方法では、バルク粒状物質の機械的攪拌後または攪拌中に、高密度化剤の濃度を減少させることも含む。このように、高密度化されたバルク粒状物質中の高密度化剤の平均濃度は、高密度化しようとするバルク粒状物質中の高密度化剤の濃度よりも低くすることができる。
【００２９】
本発明に係る方法は、機械的攪拌中に、バルク粒状物質を加熱することを含み、この場合、少なくとも高密度化剤の一部が、高密度化中のバルク粒状物質あるいは高密度化されたバルク粒状物質から蒸発し除去される。
【００３０】
本発明の１実施例において、高密度化剤として水性液体を用いる場合、バルク粒状物質は水を含有し、あるいは水がバルク粒状物質に添加され、質量濃度は４％を超え、たとえば４％から８％であり、高密度化されたバルク粒状物質は３質量％未満の水を含む。本発明の他の実施例において、バルク粒状物質として微小シリカを用い、高密度化剤として水性液体を用いる場合、微小シリカは水を含み、あるいは水は微小シリカに添加され、質量濃度は４％から８％で、たとえば６から８質量％であり、高密度化された微小シリカは１．５質量％未満の水を含み、好ましくは、１質量％未満の水を含む。また出願人は以下のことを発見した。即ち、バルク粒状物質として微小シリカを用いる場合、高密度化されている微小シリカが約１．５％の水分を含むとき、すなわち、高密度化された微小シリカの水分含有量がほとんど０％で略乾燥状態となるとき、優れた結果が得られる。
【００３１】
本発明に係る方法は、高密度化されたバルク粒状物質の密度を調整することも含む。高密度化されたバルク粒状物質の密度の調整は、容器内のバルク粒状物質の滞留時間を操作する方法、回転部材の回転速度を操作する方法、容器内のバルク粒状物質のレベルを操作する方法、バルク粒状物質に含まれる高密度化剤の濃度を調整する方法から選択した方法を用いることによって、または、これらの方法のうちの２つまたはそれ以上の方法を用いることによって行なわれる。しかし、高密度化されたバルク粒状物質の密度の調整については、これらの方法に必ずしも限定されるものではない。
【００３２】
本発明は、以下の工程からなるバルク粒状物質の高密度化方法を含む。即ち、
高密度化領域にバルク粒状物質を給送する工程と、
少なくとも部分的にバルク粒状物質を高密度化領域内に閉じ込める工程と、
閉じ込めたバルク粒状物質中に埋没した少なくとも１つの長尺の回転部材で、閉じ込めたバルク粒状物質を機械的に攪拌し、この際、回転部材は回転軸を有し、軸方向に間隔を開けて配置されると共に回転軸より外方に突出する複数の攪拌構成体を具備し、バルク粒状物質を回転部材の回転軸を横断する方向に高密度化領域を通って供給する工程。
【００３３】
本発明の他の側面によれば、バルク粒状物質高密度化及び細粒化装置は以下の手段を具備する。
【００３４】
少なくとも部分的にはバルク粒状物質体を閉じ込めるための容器であって、バルク粒状物質を受け入れて閉じ込める領域を形成する容器と、
バルク粒状物質を機械的に強力に攪拌するためのバルク粒状物質を受け入れ閉じ込める領域内に、複数の回転部材が使用時にバルク粒状物質により埋没されるように配置され、横断方向に間隔を開け、かつ一方が他方の上方に配置される、少なくとも２つの長尺の回転部材であって、各回転部材はそれぞれ回転軸を有し、回転軸から外方に向かって突出し、軸方向に間隔を開けて配置される複数の攪拌構成体を含む各回転部材と、
バルク粒状物質を受け入れる領域内でバルク粒状物質を攪拌するために、回転部材の回転軸周りに、様々な位置で異なる速度で回転する回転部材が回転可能なように、回転部材に結合された駆動手段。
【００３５】
好ましくは、各回転部材は攪拌構成体を有し、バルク粒状物質を受け入れる領域で、バルク粒状物質中に使用時に埋没されるように配置される。
【００３６】
一方が他方の上方になるように配置される、少なくとも２つの回転部材は、同じ方向に回転するように構成することができる。
【００３７】
好ましくは、少なくとも２つの長尺の回転部材は並設される。少なくとも２つの長尺の回転部材が並設される場合、２つの回転部材は反対方向に回転するように構成することができる。
【００３８】
前記容器は、バルク粒状物質を受け入れて閉じ込める領域の上方に自由ヘッド空間を形成することができる。
【００３９】
回転部材の回転軸は、一般的には、略平行である。回転軸は、好ましくは横断方向に伸延し、例えば略水平方向に伸延する。
【００４０】
前記装置は、一般的には、低い位置に配設された高密度化されたバルク粒状物質のための１つ又は複数の排出口と、前記排出口より高い位置に配設されたバルク粒状物質のための１つの投入口を含む。前記投入口は、回転部材の上方に配置することができ、１つ又は複数の排出口は、回転部材の下方に配置することができる。このように、１つまたは複数の出口は、１つまたは複数の底部排出口として形成することができる。
【００４１】
本発明の一実施例として、前記投入口、前記１つ又は複数の排出口、および回転部材は、使用中、高密度化されるバルク粒状物質が、バルク粒状物質を受け入れて閉じ込める領域を通して、回転部材の回転軸を横断する方向に供給することができるように配置される。
【００４２】
前記装置は、容器内と連通する高密度化剤投入口を具備することができる。
【００４３】
前記装置は、蒸発した高密度化剤を容器から排出するための高密度化剤排出口を具備することができる。上記した構成に代えて、前記高密度化剤投入口に高密度化剤排出口としての機能ももたせることができる。
【００４４】
攪拌構成体は、回転部材の回転軸から半径方向に離れて突出するように設けることもできる。この場合、回転部材は、攪拌構成体を突出し回転部材を取り付けるための芯棒を具備することができる。
【００４５】
攪拌構成体は、軸又は軸部と、芯棒から離隔した軸部の端部に設けた頭部を具備することができる。頭部は、容器の内面をきれいに掻きとるために有効に用いることができる。
【００４６】
攪拌構成体は、軸方向には伸延するが円周方向に間隔を開けた複数列、例えば４列に配置することができる。各列は、１つの列内の攪拌構成体が、隣接する列内で空所位置に横付けするように千鳥状に配列することができる。
【００４７】
前記駆動手段は、回転部材が粒状物質体に埋没している場合、１００ｒｐｍ〜３５００ｒｐｍの角速度で回転部材を回転させることができる。一般的には、駆動手段は、回転部材が粒状物質体に埋没している場合、５００ｒｐｍ〜１０００ｒｐｍの角速度で、例えば約７００ｒｐｍ〜８００ｒｐｍで回転部材を回転させることができる。
【００４８】
前記装置は、連続プロセスにおける連続運転用に構成することができる。
【００４９】
前記装置は、搬送手段と袋詰め手段を具備することができる。ここで、搬送手段は、高密度化されたバルク粒状物質を、容器から高密度化されたバルク粒状物質を袋詰めするための袋詰め手段へ搬送することができるように配置される。このような配置に代えて、高密度化されたバルク粒状物質の排出口から袋詰め手段にバルク粒状物質を供給するようにしてもよい。
【００５０】
前記装置は、容器の内面に対して粒状物質の塊状化、または凝固、あるいは凝集を防止するために容器を振動させる振動手段を具備することができる。
【００５１】
前記装置は、容器から粉塵を抜き出す粉塵抜き出し手段を具備することができる。
【００５２】
回転部材および容器の内面は、バルク粒状物質の凝固、または塊状化、あるいは凝集を防止するための物質で被覆することができる。
【００５３】
前記装置は、密度測定手段、および高密度化されたバルク粒状物質の密度を調整する調整手段を具備することができる。
【発明を実施するための最良の形態】
【００５４】
本発明を、実施例に基づいて、かつ、添付図を参照して説明する。
【００５５】
図中、図１は、バルク粒状物質を高密度化を図る本発明に係る高密度化装置の１実施例の正面断面図である。
【００５６】
図２は、図１の高密度化装置の回転部材の側面図である。
【００５７】
図３、図４および図５は、バルク粒状物質を高密度化するための本発明に係る高密度化装置の回転部材の他の配置を模式的に示す。
【００５８】
図１を参照して、参照番号１０は、バルク粒状物質の高密度化を図る本発明に基づく高密度化装置の１実施例の全体構成を示す。装置１０は、バルク粒状物質を収容し閉じ込める容器１２と、容器１２に収容されるバルク粒状物質中に使用時に埋没し、水平長手方向に延びる回転軸周りに回転可能で、かつ、互いに平行な、横断方向に間隔を開けて配置された長尺の回転部材１４および１５とを具備する。
【００５９】
容器１２は、平面視で矩形状をなし、容器１２の長手側が回転部材１４および１５の回転軸に平行となり、回転部材１４および１５が容器１２の端面側間を伸延する。回転部材１４および１５は軸受を具備する。
【００６０】
容器１２は、バルク粒状物質を受け入れ、閉じ込め、高密度化する領域１６を内部に形成すると共に、同領域内に回転部材１４および１５が配置されている。
【００６１】
容器１２は、バルク粒状物質を容器１２に供給する投入口２２と、容器１２から高密度化されたバルク粒状物質を除去する排出口２４とを具備する。投入口２２は、容器１２の天板２６に配置されており、排出口２４は、回転部材１４の回転軸に対して平行に伸延する容器１２の壁２８に配置されている。より好適な実施例においては、１つ又は２つ以上の排出口が容器１２の床面４６に配置される。
【００６２】
回転部材１４は、排出口２４の略高さ位置に配置される。回転部材１４は、カップリング１７によって駆動軸３０に機械的に取り付けられ、一方、駆動軸３０は電動モータ３２に駆動可能に連結される。電動モータ３２は、７００ｒｐｍ〜８００ｒｐｍの角速度で選択的に回転部材を回転することができる。カップリング１７は、プーリーとしても機能する。プーリー１９、駆動ベルト２１およびカップリング（プーリー）１７によって、電動モータ３２は、回転部材１５も駆動することができる。
【００６３】
電動機３２および容器１２は、脚３６を有する基台３４上に支持されている。
【００６４】
回転部材１４および１５は、それぞれ、芯棒３８、および複数の軸方向に間隔を開けて半径方向に伸延する攪拌構成体４０を具備する。各回転部材１４および１５の攪拌構成体４０は、軸方向に伸延する４列に配置され、４列のうちの３列の攪拌構成体４０のみが図１および図２に示されている。各列は、隣接する列との間に相互に９０°の角度を開けて配置されている。各列は、ひとつの列内の攪拌構成体４０が隣接する列内で空所位置に横付けするように千鳥状に配列することもでき、この場合、隣接しない列の攪拌構成体４０は対角線上に整列されている。
【００６５】
攪拌構成体４０は、それぞれ軸部４２と頭部４４からなる（図２参照）。本発明の１実施例において、攪拌構成体は、それぞれボルト形状を有し、芯棒３８にねじ込まれている。しかしながら、攪拌構成体については他の多くの実施例があることは理解されるべきである。
【００６６】
容器１２および回転部材１４は、回転部材１４が回転するとき、一方をなす床面４６及び容器１２の各壁２８と、他方をなす攪拌構成体４０の頭部４４間に殆ど隙間がないように寸法が決定される。同様に、回転部材１５の攪拌構成体４０の頭部４４と容器１２の壁２８との間には殆ど隙間が設けられていない。したがって、頭部４４は、バルク粒状物質を攪拌することに加えて、回転部材１４および１５が回転中には、容器１２の内壁のバルク粒状物質の凝固を防止するように作用する。
【００６７】
高密度化剤投入口４８は、容器１２の壁の比較的高い位置に設けられる。投入口４８は、水供給管路５０と連通しており、流量調整器５２が管路５０内に設置されている。
【００６８】
必要に応じて、粉塵抜き出し口（図示せず）が容器１２に設置され、加振器（図示せず）が容器１２の外壁に取り付けられる。
【００６９】
使用に際し、調整および測定された状態のバルク粒状物質が、容器１２内に、矢印５４に示すように、連続的に供給され、回転部材１４および１５を覆うことになる。高密度化剤としての水は、バルク粒状物質に対して予め設定された調整比率で投入口４８から添加される。バルク粒状物質がシリカヒュームの場合、調整比率は質量比で６：１００である。しかし、装置１０は、水のような高密度化剤を使用せずとも機能することは理解されるべきである。
【００７０】
バルク粒状物質を高密度化するために、埋没された回転部材１４および１５を、電動機３２を用いて約７３２ｒｐｍの角速度で回転する。攪拌構成体４０はバルク粒状物質を強力に攪拌し、この攪拌によってバルク粒状物質を高密度化される。攪拌中、バルク粒状物質は容器１２の側面にはじき飛ばされる。しかしながら、回転部材１４および１５は、容器１２内ではバルク粒状物質体を大きく流動化することはなく、従って、回転部材１４および１５と同軸の円筒形空洞が形成されることもない。
【００７１】
加振器を用いる場合、加振器は、容器１２の内壁に対するバルク粒状物質の凝固を防止するように作動し、発生した粉塵は、粉塵抜き出し口（もし設けられている場合）より抜き出され、また、７０から８０℃に達する粒状物質の摩擦熱により発生する水蒸気も同時に除去される。高密度化剤排出口を別途設けない場合、バルク粒状物質投入口２２を容器１２から水蒸気を排出するために用いることができる。
【００７２】
高密度化されたバルク粒状物質は、排出口２４から排出される。排出は、回転部材１４の回転により行われる。容器１２から排出された高密度化されたバルク粒状物質の密度は、密度調整および測定手段（図示せず）により測定され、高密度化されたバルク粒状物質の容器１２からの排出量は、排出口２４の開閉により増減することができ、これにより、バルク粒状物質を所望のバルク密度まで高密度化するため、容器１２内のバルク粒状物質の滞留時間を増減することができる。一般的に、高密度化されたバルク粒状物質は、１質量％未満の水を含み、したがって、ほとんど乾燥状態である。
【００７３】
添付図中、図３及び図４に、バルク粒状物質を高密度化することができる本発明に係る高密度化装置の他の実施例が、参照番号２００、および３００を付して一般的に示されている。図３及び図４に示す簡略概略図から理解できるように、回転部材は様々な他の配列が可能である。図３において、２つ以上の、例えば３つの回転部材が、垂直方向に配列された状態で使用されており、１つ以上の排出口２４を具備する。図４は、複数の、例えば４つの回転部材１４を配列する場合の配列状態を示しており、排出口２４は底部に設けられている。
【００７４】
垂直方向に間隔を開けて配置された複数の回転部材を用いる場合、高い位置にある回転部材は、粒状物質（アルミナやボーキサイトなど）の粒子を整形あるいは再整形し、かつ粒子を細粒化するために用いられ、低い位置にある回転部材は、高い位置にある回転部材と比較して、バルク粒状物質の高密度化により貢献する形態で用いられる。このような配置において、各高さ位置に配置されている回転部材の回転速度はそれぞれ異ならせることができる。
【００７５】
本発明の利点は、添付図を参照して説明してきたように、シリカヒュームのようなバルク粒状物質を高密度化するに際してコスト効果の高い方法および装置を提供することにある。本発明の他の利点は、添付図を参照して説明してきたように、このような方法および装置が、シリカヒュームのような高密度化物質を、シリカヒュームおよび同種の物質の高密度化に使用される従来の空圧式（あるいは他の）方法および装置よりも高いバルク密度で高密度化することができるということにある。粒子の塊状化も、本出願人が認識している従来技術による空圧式高密度化工程に比較して非常に少なく、より小さい平均粒径が得られ、ＢＥＴ表面積を増加することができる。装置１０は、添付図を参照して説明してきたように、連続プロセスに対して好適に用いることができる。
【図面の簡単な説明】
【００７６】
【図１】バルク粒状物質の高密度化を図る本発明に係る高密度化装置の１実施例の正面断図である。
【図２】図１の高密度化装置の回転部材の側面図である。
【図３】バルク粒状物質を高密度化するための本発明に係る高密度化装置の回転部材の他の配置を模式的に示す。
【図４】バルク粒状物質を高密度化するための本発明に係る高密度化装置の回転部材の他の配置を模式的に示す。
【符号の説明】
【００７７】
１０  高密度化装置
１２  容器
１４，１５  回転部材
３２  電動機
４０  攪拌構成体
【図１】
0004653076.tif 000002
【図２】
0004653076.tif 000003
【図３】
0004653076.tif 000004
【図４】
0004653076.tif 000005